(57)【要約】  【構成】  蓋体ケース１２および本体ケース１４は、ヒンジ機構１６によって結合される。複数の操作キー２６ａ〜２６ｃが配置されたキー入力装置２６は、本体ケース１４に設けられる。蓋体ケース１２は、閉状態でキー入力装置２６を覆い、開状態でキー入力装置２６を露出させる。サブＬＣＤモニタ２４は、蓋体ケース１２に設けられ、常に露出する。かかるサブＬＣＤモニタ２４への加圧は、閉状態で有効化される圧力センサによって検出される。サブＬＣＤモニタ２４への加圧が圧力センサによって検出されると、サブＬＣＤモニタ２４の出力がＣＰＵによって変更される  【効果】  サイズをコンパクト化した状態で、大画面のサブＬＣＤモニタ２４の出力を多様に変化させることができる。【選択図】  図１
2005175653.tif 000002
【特許請求の範囲】
【請求項１】
複数の操作キーが配置されたキー入力装置、
第１状態で前記キー入力装置を覆いかつ第２状態で前記キー入力装置を露出させるカバー、
前記カバーに設けられるかつ常に露出する第１映像モニタ、
前記第１状態で有効化されるかつ前記第１映像モニタへの加圧を検出するセンサ、および
前記第１映像モニタへの加圧が前記センサによって検出されたとき前記第１映像モニタの出力を変更する変更手段を備える、インタフェース装置。
【請求項２】
前記キー入力装置によって撮像機能の起動操作が行われたとき前記第１映像モニタが向く方向の被写界を捉える撮像装置、
前記撮像装置によって捉えられた被写界像を前記第１映像モニタにリアルタイムで表示する第１表示手段、および
前記第１表示手段によって表示された被写界像に任意の特殊画像を合成する合成手段をさらに備え、
前記変更手段は、前記センサによって検出された加圧が更新操作であるとき前記合成手段によって合成される特殊画像を別の特殊画像に更新する更新手段を含む、請求項１記載のインタフェース装置。
【請求項３】
前記合成手段は、前記カバーの状態に依存しない所定態様で前記任意の特殊画像を前記被写界像に合成する、請求項２記載のインタフェース装置。
【請求項４】
特定キャラクタを前記第１映像モニタに表示する第２表示手段をさらに備え、
前記特定キャラクタの表示位置への加圧が前記更新操作である、請求項２または３記載のインタフェース装置。
【請求項５】
前記被写体像と前記特殊画像とを合成した合成画像を記録する記録手段をさらに備える、請求項２ないし４のいずれかに記載のインタフェース装置。
【請求項６】
前記キー入力装置によってコンテンツ出力機能の起動操作が行われたとき任意の音声コンテンツを出力する音声出力手段、および
前記音声出力手段によって出力される音声コンテンツの属性を示す属性情報を前記第１映像モニタに表示する第３表示手段をさらに備え、
前記変更手段は、前記センサによって検出された加圧が属性変更操作であるとき前記音声出力手段によって出力される音声コンテンツの属性を変更する属性変更手段を含む、請求項１ないし５のいずれかに記載のインタフェース装置。
【請求項７】
前記属性は出力レベルを含む、請求項６記載のインタフェース装置。
【請求項８】
複数の放送チャネルを通してそれぞれ放送される複数の音声コンテンツのいずれか１つを受信する受信手段をさらに備え、
前記音声出力手段は前記受信手段によって受信された音声コンテンツを出力し、
前記属性は放送チャネルを含む、請求項６または７記載のインタフェース装置。
【請求項９】
前記キー入力装置によって地図画像出力機能の起動操作が行われたとき地図画像を前記第１映像モニタに表示する第４表示手段をさらに備え、
前記変更手段は、前記センサによって検出された加圧が方向切換操作であるとき前記第４表示手段によって表示された地図画像の向きを切り換える切換手段をさらに備える、請求項１ないし８のいずれかに記載のインタフェース装置。
【請求項１０】
現在位置を検出する検出手段をさらに備え、
前記第４表示手段によって表示される地図画像は前記検出手段によって検出された現在位置の周囲を示す、請求項９記載のインタフェース装置。
【請求項１１】
前記キー入力装置が設けられた本体、および
前記本体と前記カバーとを結合するヒンジ機構をさらに備え、
前記第１映像モニタは前記カバーの表面に設けられる、請求項１ないし１０のいずれかに記載のインタフェース装置。
【請求項１２】
前記カバーの裏面に設けられた第２映像モニタ、および
前記キー入力装置による操作に従う情報を前記第２映像モニタに表示する第５表示手段をさらに備える、請求項１１記載のインタフェース装置。
【請求項１３】
前記第１状態で前記第１映像モニタを起動し、前記第２状態で前記第２映像モニタを起動する選択起動手段をさらに備える、請求項１２記載のインタフェース装置。
【発明の詳細な説明】
【技術分野】
【０００１】
この発明は、インタフェース装置に関し、特にたとえば折り畳み式の携帯端末に適用され、カバーを開いたときに露出するキー入力装置を通して指示を受け付ける、インタフェース装置に関する。
【背景技術】
【０００２】
従来のこの種のインタフェース装置の一例が、特許文献１に開示されている。この従来技術では、キー入力装置は、カバーが開かれると操作可能となり、カバーが閉じられると操作不能となる。一方、カバーの表面に設けられた映像モニタは、カバーが開かれるとオフされ、カバーが閉じられるとオンされる。なお、カバーに設けられたキーは、カバーを閉じた状態でも操作でき、映像モニタの出力はこのキーの操作に応答して変化する。
【特許文献１】特開２００３−２２４６３４号公報［Ｈ０４Ｍ１／０２，Ｇ０６Ｆ １／１６，Ｈ０４Ｍ １／００］
【発明の開示】
【発明が解決しようとする課題】
【０００３】
しかし、従来技術では、カバーを閉じた状態つまりサイズをコンパクト化した状態で使用できるキーは１つであり、映像モニタの出力を多様に制御することはできなかった。ここで、たとえば複数のキーをカバーに設けるようにすれば、出力の多様な変化が可能となるが、かかるキーの追加は、映像モニタの大型化を妨げる。
【０００４】
それゆえに、この発明の主たる目的は、サイズをコンパクト化した状態で、大型の映像モニタの出力を多様に変化させることができる、インタフェース装置を提供することである。
【課題を解決するための手段】
【０００５】
請求項１の発明に従うインタフェース装置は、複数の操作キーが配置されたキー入力装置、第１状態でキー入力装置を覆いかつ第２状態でキー入力装置を露出させるカバー、カバーに設けられるかつ常に露出する第１映像モニタ、第１状態で有効化されるかつ第１映像モニタへの加圧を検出するセンサ、および第１映像モニタへの加圧がセンサによって検出されたとき第１映像モニタの出力を変更する変更手段を備える。
【０００６】
キー入力装置には、複数の操作キーが配置される。カバーは、第１状態でキー入力装置を覆い、第２状態でキー入力装置を露出させる。第１映像モニタは、カバーに設けられ、常に露出する。かかる第１映像モニタへの加圧は、第１状態で有効化されるセンサによって検出される。第１映像モニタへの加圧がセンサによって検出されると、第１映像モニタの出力が変更手段によって変更される。
【０００７】
複数のキーを有するキー入力装置は、複雑な設定に適する一方で、設定が一旦完了すると不要な存在となる。かかるキー入力装置は、カバーが第１状態のときにこのカバーによって覆われ、カバーが第２状態のときに露出する。したがって、カバーを第２状態に設定すれば、キー入力装置による複雑な設定が可能となる。また、第１状態および第２状態の性質上、第１状態に設定すれば、サイズがコンパクト化される。
【０００８】
第１状態では、センサが有効化される。このセンサによって第１映像モニタへの加圧が検出されると、第１映像モニタの出力が変更される。これによって、キー入力装置による複雑な設定が完了した後も、多様な出力制御が可能となる。つまり、第１状態でも操作可能なキーが存在するときは、このキーとの併用によって多様な出力制御が可能となり、かかるキーが存在しないときは、センサの検出態様を複雑化することによって多様な出力制御が可能となる。さらに、出力制御は第１映像モニタへの加圧によって行われるため、第１映像モニタのサイズを大型化できる。
【０００９】
つまり、請求項１の発明によれば、サイズをコンパクト化した状態で、大画面の第１映像モニタの出力を多様に変化させることができる。
【００１０】
請求項２の発明に従うインタフェース装置は、請求項１に従属し、キー入力装置によって撮像機能の起動操作が行われたとき第１映像モニタが向く方向の被写界を捉える撮像装置、撮像装置によって捉えられた被写界像を第１映像モニタにリアルタイムで表示する第１表示手段、および第１表示手段によって表示された被写界像に任意の特殊画像を合成する合成手段をさらに備え、変更手段は、センサによって検出された加圧が更新操作であるとき合成手段によって合成される特殊画像を別の特殊画像に更新する更新手段を含む。
【００１１】
キー入力装置によって撮影機能の起動操作が行われると、第１映像モニタが向く方向の被写界が撮像装置によって捉えられる。捉えられた被写界像は、第１表示手段によってリアルタイムで第１映像モニタに表示される。表示された被写界像には、任意の特殊画像が合成手段によって合成される。変更手段は、センサによって検出された加圧が更新操作であるとき、合成手段によって合成される特殊画像を別の特殊画像に更新する。
【００１２】
撮像装置は第１映像モニタが向く方向の被写界を捉えるため、第１映像モニタにはオペレータの自画像が表示され、特殊画像は自画像に合成される。合成された特殊画像は、オペレータによる更新操作によって別の特殊画像に更新される。つまり、請求項２の発明によれば、大画面の第１映像モニタに自画像を表示しながら、特殊画像を容易に更新することができる。
【００１３】
請求項３に従うインタフェース装置は、請求項２に従属し、合成手段は、カバーの状態に依存しない所定態様で任意の特殊画像を被写界像に合成する。
【００１４】
請求項４の発明に従うインタフェース装置は、請求項２または３に従属し、特定キャラクタを第１映像モニタに表示する第２表示手段をさらに備え、特定キャラクタの表示位置への加圧が更新操作である。特定キャラクタを表示することで、操作性が向上する。
【００１５】
請求項５の発明に従うインタフェース装置は、請求項２ないし４のいずれかに従属し、被写体像と特殊画像とを合成した合成画像を記録する記録手段をさらに備える。これによって、気に入った合成画像の保存が可能となる。
【００１６】
請求項６の発明に従うインタフェース装置は、請求項１ないし５のいずれかに従属し、キー入力装置によってコンテンツ出力機能の起動操作が行われたとき任意の音声コンテンツを出力する音声出力手段、および音声出力手段によって出力される音声コンテンツの属性を示す属性情報を第１映像モニタに表示する第３表示手段をさらに備え、変更手段は、センサによって検出された加圧が属性変更操作であるとき音声出力手段によって出力される音声コンテンツの属性を変更する属性変更手段を含む。
【００１７】
コンテンツ出力機能の起動操作の後にサイズをコンパクト化した状態でも、第１映像モニタへの加圧によって音声コンテンツの属性が変更される。これによって、操作性が向上する。
【００１８】
請求項７の発明に従うインタフェース装置は、請求項６に従属し、属性は出力レベルを含む。この場合、属性変更操作が行われると、第１映像モニタに表示された属性情報のうち出力レベルに関する情報も変更される。
【００１９】
請求項８の発明に従うインタフェース装置は、請求項６または７に従属し、複数の放送チャネルを通してそれぞれ放送される複数の音声コンテンツのいずれか１つを受信する受信手段をさらに備え、音声出力手段は受信手段によって受信された音声コンテンツを出力し、属性は放送チャネルを含む。この場合、属性変更操作が行われると、第１映像モニタに表示された属性情報のうち放送チャネルに関する情報も変更される。
【００２０】
請求項９の発明に従うインタフェース装置は、請求項１ないし８のいずれかに従属し、キー入力装置による地図画像出力機能の起動操作が行われたとき地図画像を第１映像モニタに表示する第４表示手段をさらに備え、変更手段は、センサによって検出された加圧が方向切換操作であるとき第４表示手段によって表示された地図画像の向きを切り換える切換手段をさらに備える。
【００２１】
地図画像出力機能の起動操作の後にサイズをコンパクト化した状態でも、第１映像モニタへの加圧のような簡単な操作で地図画像の向きを切り換えることができる。
【００２２】
請求項１０の発明に従うインタフェース装置は、請求項９に従属し、現在位置を検出する検出手段をさらに備え、第４表示手段によって表示される地図画像は検出手段によって検出された現在位置の周囲を示す。これによって、オペレータは自分の所在地を容易に把握することができる。
【００２３】
請求項１１の発明に従うインタフェース装置は、請求項１ないし１０のいずれかに従属し、キー入力装置が設けられた本体、および本体とカバーとを結合するヒンジ機構をさらに備え、第１映像モニタはカバーの表面に設けられる。この場合、カバーはヒンジ機構を軸として回動する。カバーを開くとキー入力装置が露出し、カバーを閉じるとキー入力装置がこのカバーによって覆われる。
【００２４】
請求項１２の発明に従うインタフェース装置は、請求項１１に従属し、カバーの裏面に設けられた第２映像モニタ、およびキー入力装置による操作に従う情報を第２映像モニタに表示する第５表示手段をさらに備える。これによって、キー入力装置の操作性が向上する。
【００２５】
請求項１３の発明に従うインタフェース装置は、請求項１２に従属し、第１状態で第１映像モニタを起動し、第２状態で第２映像モニタを起動する選択起動手段をさらに備える。第１映像モニタおよび第２映像モニタを選択的に起動することで、無駄な電力消費を抑えることができる。
【発明の効果】
【００２６】
この発明によれば、サイズをコンパクト化した状態で、大画面の第１映像モニタの出力を多様に制御することができる。
【００２７】
この発明の上述の目的，その他の目的，特徴および利点は、図面を参照して行う以下の実施例の詳細な説明から一層明らかとなろう。
【発明を実施するための最良の形態】
【００２８】
図１（Ａ）〜図１（Ｃ）を参照して、この実施例の携帯端末１０は、蓋体ケース１２および本体ケース１４を含む。蓋体ケース１２および本体ケース１４はヒンジ機構１６によって互いに連結され、開閉動作が可能である。図１（Ａ）および図１（Ｂ）が閉状態を示し、図１（Ｃ）が開状態を示す。なお蓋体ケース１２には、アンテナ２０が突設される。
【００２９】
本体ケース１４の内面（閉状態で内側になる面）には、キー入力装置２６が設けられる。キー入力装置２６は、電源のオン／オフおよび通話の終了のための電源／オンフックボタン２６ａと、通話を開始するためのオフフックボタン２６ｂと、テンキーやファンクションキーを含む操作キー群２６ｃとを含む。本体ケース１４の側面には、カメラ機能が選択されたときに有効化されるシャッタボタン３６が設けられる。キー入力装置２６は、閉状態のときに蓋体ケース１２によって覆われ、開状態のときに露出する。シャッタボタン３６は、開状態および閉状態に関係なく露出する。
【００３０】
蓋体ケース１２の内面には、情報表示のためのメインＬＣＤモニタ２２が設けられる。蓋体ケース１２の外面には、情報表示のためのサブＬＣＤモニタ２４と、被写体を撮影するためのＣＣＤカメラ１８とが設けられる。ＣＣＤカメラ１８は、サブＬＣＤモニタ２４が向く方向の被写界を撮影する。サブＬＣＤモニタ２４の背面には、圧力センサ６８（図２参照）が配置される。サブＬＣＤモニタ２４に圧力を加えると、加圧の発生および加圧位置が圧力センサ６８によって検知される。サブＬＣＤモニタ２４の出力は、かかる圧力センサ６８の検知結果に基づいて変化する。
【００３１】
また、蓋体ケース１２の内面には凸状の加圧ピン２８が設けられ、本体ケース１４の内面には閉状態で加圧ピン２８によって押圧される感圧スイッチ３０が設けられる。この加圧ピン２８および感圧スイッチ３０によって、現時点の状態が開状態および閉状態のいずれであるかが検知される。開状態が検知されると、メインＬＣＤモニタ２２がオンされ、サブＬＣＤモニタ２４および圧力センサ６８がオフされる。閉状態が検知されると、サブＬＣＤモニタ２４および圧力センサ６８がオンされ、メインＬＣＤモニタ２２がオフされる。
【００３２】
さらに、蓋体ケース１２の内面にはスピーカ３４が設けられ、本体ケース１４の内面にはマイクロフォン３２が設けられる。スピーカ３４およびマイクロフォン３２は、通話可能状態において有効化される。
【００３３】
携帯端末１０の内部構成を図２に示す。キー入力装置２６によって通話のための発呼操作が行われると、ＣＰＵ４８は、信号処理回路４０，無線回路３８およびアンテナ２０を通して発呼信号を相手方の携帯端末に送信する。これに対して、相手方が着呼操作を行うと、通話可能状態となる。
【００３４】
通話可能状態となると、マイクロフォン３２によって音声信号が取り込まれ、取り込まれた音声信号がアンプ４６によって増幅される。増幅された音声信号はＡＤ／ＤＡ変換回路４２によってディジタル信号である音声データに変換され、変換された音声データは、信号処理回路４０および無線回路３８によって符号化処理および変調処理をそれぞれ施される。無線回路３８によって生成された変調音声データは、アンテナ２０から発信される。
【００３５】
一方、相手方から送られてきた変調音声データは、アンテナ２０によって受信され、無線回路３８によって復調処理を施されるとともに、信号処理４０によって復号処理を施される。信号処理回路４０によって復号された音声データは、ＡＤ／ＤＡ変換回路４２によってアナログ信号である音声信号に変換され、変換された音声信号は、アンプ４４を介してスピーカ３４から出力される。
【００３６】
このようにして相手方との間で通話が行われている最中に、キー入力装置２６によって通話終了操作が行われると、ＣＰＵ４８は、信号処理回路４０および無線回路３８を制御して、相手方に通話終了信号を送信する。通話終了信号の送信後、ＣＰＵ４８は、通話処理を終了する。先に相手方から通話終了信号を受信した場合も、ＣＰＵ４８は、通話処理を終了する。
【００３７】
キー入力装置２６によってメニュー表示操作が行われると、ＣＰＵ４８は、メニュー表示処理を実行する。この時点ではメインＬＣＤモニタ２２がオンされているため、メニュー画面はたとえば図３に示す要領でメインＬＣＤモニタ２２に表示される。
【００３８】
ここで、キー入力装置２６によって“ラジオ”の項目が選択されると、ＣＰＵ４８は、ＦＭチューナ５６をオンし、任意のチャネル周波数および任意のゲインをＦＭチューナ５６およびアンプ５８にそれぞれ設定する。この結果、設定されたチャネル周波数で放送されるオーディオコンテンツがスピーカ６０から出力される。ＣＰＵ４８はまた、図４（Ａ）に示すラジオ画面をオン状態のＬＣＤモニタに表示する。図４（Ａ）によれば、ラジオ画面は、現時点で設定されているチャネル周波数“８０．２ＭＨｚ”を示すチャネル情報Ｆｉｎｆと、現時点で設定されているゲイン“４”を示すゲイン情報Ｇｉｎｆと、チャネル切換を案内するキャラクタＣ１と、ゲイン変更を案内するキャラクタＣ２およびＣ３とによって形成される。
【００３９】
開状態ではメインＬＣＤモニタ２２にラジオ画面が表示され、キー入力装置２６によるチャネル切換操作またはゲイン変更操作が可能である。一方、閉状態ではサブＬＣＤモニタ２４にラジオ画面が表示され、キャラクタＣ１の加圧によるチャネル切換操作またはキャラクタＣ２またはＣ３の加圧によるゲイン変更操作が可能である。
【００４０】
チャネル切換操作が行われると、ＣＰＵ４８は、ＦＭチューナ５６のチャネル周波数設定およびラジオ画面上のチャネル情報Ｆｉｎｆを更新する。チャネル周波数Ｆｉｎｆが“８９．９ＭＨｚ”に切り換えられたとき、ラジオ画面は図４（Ａ）から図４（Ｂ）に更新される。ゲイン変更操作が行われると、アンプ５８のゲインおよびラジオ画面上のゲイン情報Ｇｉｎｆが更新される。ゲインが“３”に変更されたとき、ラジオ画面は図４（Ａ）から図４（Ｃ）に更新される。
【００４１】
図３に示すメニュー画面が表示されている状態で、キー入力装置２６によって“ナビゲーション”の項目が選択されると、ＣＰＵ４８は、ＧＰＳ回路６６をオンする。ＧＰＳ回路６６はアンテナ６４を通してＧＰＳ衛星からＧＰＳ信号を受信し、受信したＧＰＳ信号に基づいて現在位置を特定する。現在位置が特定されると、ＣＰＵ４８は、ナビゲーション画面をオン状態のＬＣＤモニタに表示する。図５（Ａ）に示すように、ナビゲーション画面は、特定された現在位置を中心とする周辺地図（方位磁石を含む）Ｍａｐと、周辺地図Ｍａｐの左回転表示を案内するキャラクタＣ４と、周辺地図Ｍａｐの右回転表示を案内するキャラクタＣ５とによって形成される。
【００４２】
開状態ではメインＬＣＤモニタ２２にナビゲーション画面が表示され、キー入力装置２６による方向切換操作が可能である。一方、閉状態ではサブＬＣＤモニタ２４にナビゲーション画面が表示され、キャラクタＣ４またはＣ５の加圧による方向切換操作が可能である。図５（Ａ）に示す表示状態で右回転方向への方向切換操作が行われると、ナビゲーション画面は図５（Ｂ）に示すように更新される。
【００４３】
なお、ＣＰＵ３０は、所定期間（たとえば１０秒）が経過する毎にＧＰＳ回路６６を利用して現在位置を特定し、特定された現在位置が中心に配置されるように周辺地図Ｍａｐを更新する。
【００４４】
図３に示すメニュー画面が表示されている状態で、キー入力装置２６によって“カメラ”の項目が選択されると、ＣＰＵ４８は、ＣＣＤカメラ１８およびカメラ処理回路６２をオンする。ＣＣＤカメラ１８は被写界の画像データを所定フレームレートで出力し、カメラ処理回路６２はこの画像データに所定の処理を施す。カメラ処理回路６２から画像データが出力されると、ＣＰＵ４８は、合成画面をオン状態のＬＣＤモニタに表示する。図６（Ａ）に示すように、合成画面は、撮影された被写界のリアルタイム動画像（スルー画像）Ｔｈｒと、任意のテンプレート画像Ｔｍｐと、テンプレート画像Ｔｍｐの更新を案内するキャラクタＣ６およびＣ７とによって形成される。なお、テンプレート画像Ｔｍｐは、フラッシュメモリ５２に記録された複数画面のテンプレート画像データの１つに基づく。
【００４５】
開状態ではメインＬＣＤモニタ２２に合成画面が表示され、キー入力装置２６によるテンプレート変更操作が可能である。一方、閉状態ではサブＬＣＤモニタ２４に合成画面が表示され、キャラクタＣ６またはＣ７の加圧によるテンプレート変更操作が可能である。図６（Ａ）に示す表示状態でテンプレート変更操作が行われると、合成画面は図６（Ｂ）に示すように更新される。なお、ＣＣＤカメラ１８はサブＬＣＤモニタ２４が向く方向の被写界を撮影するため、閉状態では、通常、オペレータが撮影され、オペレータの自画像が合成画面上に表示される。
【００４６】
また、開状態ではキー入力装置２６またはシャッタボタン３６による撮影操作が可能であり、閉状態ではシャッタボタン３６による撮影操作が可能である。撮影操作が行われると、ＣＰＵ４８は、その時点でカメラ処理回路６２から出力された１フレームの画像データと現時点で選択されているテンプレート画像データとを合成し、合成画像データをＪＰＥＧ方式で圧縮し、そして圧縮合成画像データをフラッシュメモリ５２に記録する。
【００４７】
ＣＰＵ４８は、μＩＴＲＯＮのようなマルチタスクＯＳを搭載したマルチタスクＣＰＵであり、図７に示すＬＣＤ制御タスク，図８に示すメニュー制御タスク，図９に示すラジオタスク，図１０に示すナビゲーションタスクおよび図１１に示すカメラタスクを並列的に実行する。なお、これらのタスクに対応する制御プログラムは、ＲＯＭ５０に記憶される。
【００４８】
図７を参照して、ステップＳ１では現在の状態が閉状態であるか否かを感圧スイッチ３０の出力に基づいて判断し、ＮＯであればステップＳ３に進む。ステップＳ３ではメインＬＣＤモニタ２２をオンし、ステップＳ５ではサブＬＣＤモニタ２４および圧力センサ６８をオフする。ステップＳ５の処理が完了すると、ステップＳ１に戻る。
【００４９】
ステップＳ１でＹＥＳと判断されると、ステップＳ７でサブＬＣＤモニタ２４および圧力センサ６８をオンし、ステップＳ９でメインＬＣＤモニタ２２をオフする。ステップ１１では、上述のカメラ機能，ラジオ機能およびナビゲーション機能のいずれか１つが選択されているか否かを判別する。ここでＹＥＳと判断されるとステップＳ１３以降の処理に進むが、ＮＯと判断されるとステップＳ１に戻る。
【００５０】
ステップＳ１３では、選択されている機能に対応するキャラクタをオン状態のＬＣＤモニタに表示する。ラジオ機能が選択されていれば、図４（Ａ），図４（Ｂ）または図４（Ｃ）に示すキャラクタＣ１〜Ｃ３を表示し、ナビゲーション機能が選択されていれば図５（Ａ）または図５（Ｂ）に示すキャラクタＣ４およびＣ５を表示し、そしてカメラ機能が選択されていれば図６（Ａ）または図６（Ｂ）に示すキャラクタＣ６およびＣ７を表示する。
【００５１】
かかるキャラクタ表示処理が完了するとステップＳ１５に進み、タイマ４８ｔのリセット＆スタートを行う。タイマ４８ｔは、たとえば３０秒をカウントする。ステップＳ１７では、タイマ４８ｔのタイムアップが発生したか否かを判別する。タイムアップが発生しなければステップＳ１９に進み、現在の状態が閉状態から開状態に移行したか否か判別する。閉状態が維持されていればステップＳ２１に進み、サブＬＣＤモニタ２４に表示されたキャラクタへの加圧操作が行われたか否かを判別する。加圧操作がなければステップＳ１７に戻る。
【００５２】
開状態に移行すると、ステップＳ１９からステップＳ３に戻る。表示キャラクタへの加圧操作が行われると、ステップＳ２１でＹＥＳと判断し、ステップＳ２３におけるタイマ４８のリセット＆スタートを経てステップＳ１７に戻る。したがって、閉状態が維持されていれば、表示キャラクタへの加圧操作が行われる毎にタイマ４８ｔがリセット＆スタートを施される。
【００５３】
タイマ４８ｔのタイムアップが発生すると、ステップＳ２５でキャラクタ表示を中止する。ステップＳ２７ではサブＬＣＤモニタ２４への加圧操作の有無を判別し、ステップＳ２９では現在の状態が閉状態から開状態へ移行したか否かを判別する。閉状態で加圧操作が行われると、ステップＳ２７でＹＥＳと判断し、ステップＳ１３に戻る。この結果、現時点で選択されている機能に対応するキャラクタが再度表示される。閉状態から開状態に移行すると、ステップＳ２９でＹＥＳと判断し、ステップＳ３に戻る。
【００５４】
図８を参照して、ステップＳ３１では、キー入力装置２６によるメニュー表示操作の有無を判別し、ＹＥＳであればステップＳ３３でメニュー表示処理を行う。これによって、図３に示すメニュー画面がメインＬＣＤモニタ２２に表示される。なお、メニュー表示操作の後に閉状態に移行すると、メニュー画面はサブＬＣＤモニタ２４に表示される。ただし、メニュー画面に向けられた操作はキー入力装置２６でしか行えず、サブＬＣＤモニタ２４へのメニュー画面の表示は大きな意味を持たない。
【００５５】
ステップＳ３５，Ｓ４３およびＳ５１の各々では、メニュー画面に向けられた操作態様を判別する。キー入力装置２６によって図３に示す“ラジオ”の項目が選択されると、ステップＳ３５からステップＳ３７に進み、ラジオタスクを起動する。ステップＳ３９およびＳ４１ではナビゲーションタスクおよびカメラタスクをそれぞれ終了し、その後ステップＳ３１に戻る。キー入力装置２６によって図３に示す“ナビゲーション”の項目が選択されると、ステップＳ４３からステップＳ４５に進み、ナビゲーションタスクを起動する。ステップＳ４７およびＳ４９ではラジオタスクおよびカメラタスクをそれぞれ終了し、その後ステップＳ３１に戻る。
【００５６】
キー入力装置２６によって図３に示す“カメラ”の項目が選択されると、ステップＳ５１からステップＳ５３に進み、カメラタスクを起動する。ステップＳ５５およびＳ５７ではラジオタスクおよびナビゲーションタスクをそれぞれ終了し、その後ステップＳ３１に戻る。“カメラ”，“ラジオ”および“ナビゲーション”のいずれの項目も選択されることなく、キー入力装置２６によってメニュー表示終了操作が行われると、直接ステップＳ３１に戻る。
【００５７】
図９を参照して、ステップＳ６１ではＦＭチューナ５６をオンする。このとき、任意のチャネル周波数および任意のゲインがＦＭチューナ５６およびアンプ５８にそれぞれ設定される。スピーカ６０からは、設定されたチャネル周波数で放送されるオーディオコンテンツが出力される。ステップＳ６３では、現時点の設定に対応するチャネル情報Ｆｉｎｆおよびゲイン情報Ｇｉｎｆをオン状態のＬＣＤモニタに表示する。ステップＳ６３の処理と上述のステップＳ１３の処理とが実行された結果、オン状態のＬＣＤモニタにはたとえば図４（Ａ）に示すラジオ画面が表示される。
【００５８】
ステップＳ６５ではチャネル切換操作の有無を判別し、ステップＳ７１ではボリューム変更操作の有無を判別し、そしてステップＳ７７では受信終了操作の有無を判別する。
【００５９】
開状態でキー入力装置２６によるチャネル切換操作が行われるか、あるいは閉状態でキャラクタＣ１への加圧操作が行われると、ステップＳ６５でＹＥＳと判断される。ステップＳ６７ではチューニングを実行し、ステップＳ６９ではチャネル情報Ｆｉｎｆを更新する。図４（Ａ）に示す状態で、チューニングによってチャネル周波数“８９．９ＭＨｚ”がＦＭチューナ５６に設定された場合、チャネル情報Ｆｉｎｆもまた図４（Ｂ）に示すように“８９．９ＭＨｚ”に更新される。ステップＳ６９の処理が完了すると、ステップＳ６５に戻る。
【００６０】
開状態でキー入力装置２６によるゲイン変更操作が行われるか、あるいは閉状態でキャラクタＣ２またはＣ３への加圧操作が行われると、ステップＳ７１でＹＥＳと判断される。ステップＳ７３ではアンプ５８のゲインを変更し、ステップＳ７５ではゲイン情報Ｇｉｎｆを更新する。図４（Ａ）に示す状態で、ゲインが“３”に変更された場合、ゲイン情報Ｇｉｎｆもまた図４（Ｃ）に示すように更新される。ステップＳ７５の処理が完了すると、ステップＳ６５に戻る。
【００６１】
開状態によってキー入力装置２６によって受信終了操作が行われると、ステップＳ７７でＹＥＳと判断し、ラジオタスクを終了する。
【００６２】
図１０を参照して、ステップＳ８１ではＧＰＳ回路６６をオンする。これによって、現在位置が特定される。ステップＳ８３では特定された現在位置を中心とする周辺地図Ｍａｐをオン状態のＬＣＤモニタに表示する。このステップＳ８３の処理と上述のステップＳ１３の処理とによって、たとえば図５（Ａ）に示すナビゲーション画面がオン状態のＬＣＤモニタから出力される。
【００６３】
ステップＳ８５では方向切換操作の有無を判別し、ステップＳ８９では所定期間の経過の有無を判別し、そしてステップＳ９３では表示終了操作の有無を判別する。
【００６４】
開状態でキー入力装置２６による方向切換操作が行われるか、あるいは閉状態でキャラクタＣ４またはＣ５への加圧操作が行われると、ステップＳ８５でＹＥＳと判断される。ステップＳ８７では、周辺地図Ｍａｐの表示態様を変更する。図５（Ａ）に示す状態で右回転の方向切換操作が行われた場合、表示態様は図５（Ｂ）に変更される。ステップＳ８７の処理が完了すると、ステップＳ８５に戻る。
【００６５】
方向切換操作および表示終了操作のいずれも行われない期間が所定期間（たとえば１０秒）に達すると、ステップＳ８９でＹＥＳと判断し、ステップＳ９１で周辺地図Ｍａｐを更新する。つまり、ＧＰＳ回路６６を利用して現在位置を特定し、特定した現在位置が中心に配置されるように周辺地図Ｍａｐを更新する。ステップＳ９１の処理が完了すると、ステップＳ８５に戻る。
【００６６】
開状態でキー入力装置２６による表示終了操作が行われると、ステップＳ９３でＹＥＳと判断し、ナビゲーションタスクを終了する。
【００６７】
図１１を参照して、ステップＳ１０１ではスルー画像表示処理を実行する。具体的には、ＣＣＤカメラ１８およびカメラ処理回路６２をオンし、被写界のスルー画像Ｔｈｒをオン状態のＬＣＤモニタに表示する。ステップＳ１０３では、任意のテンプレート画像Ｔｍｐをスルー画像Ｔｈｒに合成する。この合成処理と上述のステップＳ１３の処理とによって、たとえば図６（Ａ）に示す合成画面がオン状態のＬＣＤモニタから出力される。
【００６８】
ステップＳ１０５ではテンプレート変更操作の有無を判別し、ステップＳ１０９では撮影操作の有無を判別し、そしてステップＳ１１３ではカメラ終了操作の有無を判別する。
【００６９】
開状態でキー入力装置２６によるテンプレート変更操作が行われるか、あるいは閉状態でキャラクタＣ６またはＣ７への加圧操作が行われると、ステップＳ１０５でＹＥＳと判断される。ステップＳ１０７では、現時点で表示されているテンプレート画像Ｔｍｐを別のテンプレート画像Ｔｍｐに更新する。図６（Ａ）に示す状態でテンプレート変更操作が行われた場合、ＬＣＤモニタの表示はたとえば図６（Ｂ）に示すように更新される。ステップＳ１０７の処理が完了すると、ステップＳ１０５に戻る。
【００７０】
キー入力装置２６またはシャッタボタン３６による撮影操作が行われると、ステップＳ１０９でＹＥＳと判断し、ステップＳ１１１で撮影処理を行う。具体的には、撮影操作が行われた時点でカメラ処理回路６２から出力された１フレームの画像データと現時点で選択されているテンプレート画像データとを合成し、合成画像データをＪＰＥＧ方式で圧縮し、そして圧縮合成画像データをフラッシュメモリ５２に記録する。撮影処理が完了すると、ステップＳ１０５に戻る。
【００７１】
キー入力装置２６によってカメラ終了操作が行われると、ステップＳ１１３でＹＥＳと判断し、カメラタスクを終了する。
【００７２】
なお、テンプレート画像Ｔｍｐの合成態様は、蓋体ケース１２の状態が開状態および閉状態のいずれであるかに関係しない。つまり、テンプレート画像Ｔｍｐの上下関係は、オン状態のＬＣＤモニタの上下関係と常に一致し、テンプレート画像Ｔｍｐの左右関係もまたオン状態のＬＣＤモニタの左右関係と常に一致する。ただし、上下関係および左右関係のうち上下関係のみを一致させるようにしてもよい。
【００７３】
以上の説明から分かるように、蓋体ケース（カバー）１２および本体ケース（本体）１４は、ヒンジ機構１６によって結合される。複数の操作キー２６ａ〜２６ｃが配置されたキー入力装置２６は、本体ケース１４に設けられる。蓋体ケース１２は、閉状態（第１状態）でキー入力装置２６を覆い、開状態（第２状態）でキー入力装置２６を露出させる。サブＬＣＤモニタ（第１映像モニタ）２４は、蓋体ケース１２に設けられ、常に露出する。かかるサブＬＣＤモニタ２４への加圧は、閉状態で有効化される圧力センサ６８によって検出される。サブＬＣＤモニタ２４への加圧が圧力センサ６８によって検出されると、サブＬＣＤモニタ２４の出力がＣＰＵ４８によって変更される(S69, S75, S87, S91, S107)。
【００７４】
複数の操作キー２６ａ〜２６ｃを有するキー入力装置２６は、複雑な設定に適する一方で、設定が一旦完了すると不要な存在となる。かかるキー入力装置２６は、蓋体ケース１２が閉状態のときにこの蓋体ケース１２によって覆われ、蓋体ケース１２が開状態のときに露出する。したがって、蓋体ケース１２を開状態に設定すれば、キー入力装置２６による複雑な設定が可能となる。また、閉状態および開状態の性質上、閉状態に設定すれば、サイズがコンパクト化される。
【００７５】
開状態では、圧力センサ６８が有効化される。この圧力センサ６８によってサブＬＣＤモニタ２４への加圧が検出されると、サブＬＣＤモニタ２４の出力が変更される。これによって、キー入力装置２６による複雑な設定が完了した後も、多様な出力制御が可能となる。つまり、シャッタボタン３６の操作と加圧操作との併用、あるいは複数態様の加圧操作によって、多様な出力制御が可能となる。さらに、出力制御はサブＬＣＤモニタ２４への加圧によって行われるため、サブＬＣＤモニタ２４のサイズを大型化できる。
【００７６】
つまり、この実施例によれば、サイズをコンパクト化した状態で、大画面のサブＬＣＤモニタ２４の出力を多様に変化させることができる。
【００７７】
キー入力装置２６によってカメラ機能（撮像機能）が選択されると、サブＬＣＤモニタ２４が向く方向の被写界がＣＣＤカメラ１８によって捉えられる。カメラ機能の選択後に閉状態に移行すると、ＣＣＤカメラ１８によって捉えられた被写界のスルー像Ｔｈｒは、ＣＰＵ４８によってサブＬＣＤモニタ２４に表示される(S101)。表示されたスルー画像Ｔｈｒには、任意のテンプレート画像（特殊画像）ＴｍｐがＣＰＵ４８によって合成される(S103)。サブＬＣＤモニタ２４に向けられたテンプレート更新操作が圧力センサ６８によって検出されると、ＣＰＵ４８は、スルー画像Ｔｈｒに合成されるテンプレート画像Ｔｍｐを別のテンプレート画像Ｔｍｐに更新する(S107)。
【００７８】
ＣＣＤカメラ１８はサブＬＣＤモニタ２４が向く方向の被写界を捉えるため、サブＬＣＤモニタ２４にはオペレータの自画像が表示され、テンプレート画像Ｔｍｐは自画像に合成される。合成されたテンプレート画像Ｔｍｐは、オペレータによるテンプレート更新操作によって別のテンプレート画像Ｔｍｐに更新される。つまり、この実施例によれば、大画面のサブＬＣＤモニタ２４に自画像を表示しながら、テンプレート画像Ｔｍｐを容易に更新することができる。
【００７９】
キー入力装置２６によってラジオ機能（コンテンツ出力機能）が選択されると、任意のチャネル周波数で放送されるオーディオコンテンツが、ＦＭチューナ５６によって受信され、その後アンプ５８を介してスピーカ６０から出力される。出力されるオーディオコンテンツの属性情報つまりチャネル情報Ｆｉｎｆおよびゲイン情報Ｇｉｎｆは、ＣＰＵ４８によってサブＬＣＤモニタ２４に表示される(S63)。サブＬＣＤモニタ２４に向けられたチャネル切換操作またはゲイン変更操作が圧力センサ６８によって検出されると、ＣＰＵ４８は、チューニング処理またはゲイン変更処理を実行するとともに(S67, S73)、チャネル情報Ｆｉｎｆまたはゲイン情報Ｇｉｎｆを更新する(S69, S75)。このように、サブＬＣＤモニタ２４への加圧によってオーディオコンテンツの属性が変更されるため、操作性が向上する。
【００８０】
キー入力装置２６によってナビゲーション機能が選択されると、現在位置がＧＰＳ回路６６によって特定され、現在位置を中心とする周辺地図ＭａｐがＣＰＵ４８によってサブＬＣＤモニタ２４に表示される(S83)。サブＬＣＤモニタ２４に向けられた方向切換操作が圧力センサ６８によって検出されると、周辺地図Ｍａｐの向きが更新される(S87)。つまり、サイズをコンパクト化した状態でも、サブＬＣＤモニタ２４への加圧によって周辺地図Ｍａｐの向きを切り換えることができる。
【００８１】
なお、この実施例では、撮影操作が行われたとき、静止画像を記録するようにしているが、任意の時間の動画像を記録するようにしてもよい。この場合、テンプレート画像は静止し、被写界像に動きが生じる。
【００８２】
また、この実施例では、折り畳み型の携帯端末を用いて説明しているが、この発明は、リボルバ型またはスライド型の携帯端末にも適用できる。リボルバ型では、蓋体ケースおよび本体ケースは主面に直交する軸によって結合され、蓋体ケースはこの軸を基点として回転する。また、スライド型では、本体ケースは蓋体ケースに嵌合し、縦方向にスライドする。リボルバ型およびスライド型のいずれも、ＬＣＤモニタは１つである。
【００８３】
さらに、この実施例では、ＣＣＤカメラとサブＬＣＤモニタとの間で上下関係が一致するだけでなく、ＣＣＤカメラとメインＬＣＤモニタとの間でも上下関係が一致する。しかし、ＣＣＤカメラとメインＬＣＤモニタとの間では上下関係を反転させるようにしてもよい。この場合、メインＬＣＤモニタおよびサブＬＣＤモニタの切り換えに応答して表示画像の上下関係を反転させる必要がある。ただし、その場合でも、テンプレート画像の合成態様は、蓋体ケースの状態によって変化することはない。
【図面の簡単な説明】
【００８４】
【図１】（Ａ）は閉状態の携帯端末を示す正面図であり、（Ｂ）は閉状態の携帯端末を示す側面図であり、そして（Ｃ）は開状態の携帯端末を示す正面図である。
【図２】図１実施例の構成を示すブロック図である。
【図３】メニュー画面の一例を示す図解図である。
【図４】（Ａ）はラジオ画面の一例を示す図解図であり、（Ｂ）はラジオ画面の他の一例を示す図解図であり、そして（Ｃ）はラジオ画面のその他の一例を示す図解図である。
【図５】（Ａ）はナビゲーション画面の一例を示す図解図であり、（Ｂ）はナビゲーション画面の他の一例を示す図解図である。
【図６】（Ａ）は合成画面の一例を示す図解図である、（Ｂ）は合成画面の他の一例を示す図解図である。
【図７】図１実施例の動作の一部を示すフロー図である。
【図８】図１実施例の動作の他の一部を示すフロー図である。
【図９】図１実施例の動作のその他の一部を示すフロー図である。
【図１０】図１実施例の動作のさらにその他の一部を示すフロー図である。
【図１１】図１実施例の動作の他の一部を示すフロー図である。
【符号の説明】
【００８５】
１０…携帯端末
１２…蓋体ケース
１４…ヒンジ機構
１８…ＣＣＤカメラ
２２…メインＬＣＤモニタ
２４…サブＬＣＤモニタ
２８…加圧ピン
３０…感圧スイッチ
４８…ＣＰＵ
５２…フラッシュメモリ
６６…ＧＰＳ回路
６８…圧力センサ
【図１】
2005175653.tif 000003
【図２】
2005175653.tif 000004
【図３】
2005175653.tif 000005
【図４】
2005175653.tif 000006
【図５】
2005175653.tif 000007
【図６】
2005175653.tif 000008
【図７】
2005175653.tif 000009
【図８】
2005175653.tif 000010
【図９】
2005175653.tif 000011
【図１０】
2005175653.tif 000012
【図１１】
2005175653.tif 000013